(57)【要約】【課題】天板及び前板と側板間の接合部位における側方視での見栄えを向上させ、固定具頭部の突出がなく見栄えを向上させる。【解決手段】天板１２と、前板１４及び左右のブラケット側板１６を備えて略方形箱状に形成されるシャッターケース１０であって、ブラケット側板１６の端縁に起立形成される接合代２０に段差を設け、天板１２及び前板１４の各左右端縁の接合縁の内側面に接続される係止部２４を形成し、係止部２４を介して天板１２及び前板１４の接合縁がブラケット側板端縁の接合代２０に面一状に接続される。また、ブラケット側板１６の取付孔２８周囲に凹部３０を形成して、軸受２６を取り付けるネジＢの頭部をブラケット側板１６の外側面と面一とさせる。なお、天板１２と前板１４とは、鉤形係合部４１，４５により互いにはぜ継ぎ式に結合される。【選択図】        図４
2004316159.tif 000002
【特許請求の範囲】
【請求項１】
少なくとも天板と、前板及び左右の側板を備えて略方形箱状に形成され、内部にシャッターカーテンを巻回収納可能とし、構築構造物開口の縁部に配設されるシャッターケースの構造において、
前記側板の端縁に形成され板面に対して起立形成される接合代と、前記天板及び前板の各左右端縁の接合縁とのいずれか一方に、段差を設けて係止部を形成し、該係止部を介して前記天板及び前板の接合縁が前記側板端縁の接合代に面一状に接続されることを特徴とするシャッターケースの構造。
【請求項２】
少なくとも天板と、前板及び左右の側板を備えて略方形箱状に形成され、内部にシャッターカーテンを巻回収納可能とし、構築構造物開口の縁部に配設されるシャッターケースの構造において、
前記側板が、前記シャッターカーテンの巻取軸の端部を支持する軸受を内側に備えたブラケット側板よりなり、該ブラケット側板の端縁に形成され板面に対して起立形成される接合代に段差を設け、前記天板及び前板の各左右端縁の接合縁の内側面に接続される係止部を形成し、該係止部を介して前記天板及び前板の接合縁が前記ブラケット側板端縁の接合代に面一状に接続されることを特徴とするシャッターケースの構造。
【請求項３】
少なくとも天板と、前板及び左右の側板を備えて略方形箱状に形成され、内部にシャッターカーテンを巻回収納可能とし、構築構造物開口の縁部に配設されるシャッターケースの構造において、
前記側板が、前記シャッターカーテンの巻取軸の端部を支持する軸受を内側に備えたブラケット板の外側面を被覆する化粧用外装板よりなり、該化粧用外装板の端縁に形成され板面に対して起立形成される接合代に段差を設け、前記天板及び前板の各左右端縁の接合縁の内側面に接続される係止部を形成し、該係止部を介して前記天板及び前板の接合縁が前記化粧用外装板端縁の接合代に面一状に接続されることを特徴とするシャッターケースの構造。
【請求項４】
前記側板の内側に取り付けられ、前記シャッターカーテンの巻取軸の端部を支持する軸受が、側板の外側よりこれに形成された複数の取付孔に各々貫通する固定具により取付けられるものであって、前記取付孔周囲には、固定具頭部を前記側板の外側面と面一となる凹部を形成するとともに、該側板の内側面に突出する凸部を形成し、前記軸受の固定孔周囲には前記凸部に嵌合する凹部を形成することを特徴とする請求項１記載のシャッターケースの構造。
【請求項５】
前記ブラケット側板の内側に取り付けられる軸受が、前記ブラケット側板の外側よりこれに形成された複数の取付孔に各々貫通する固定具により取付けられるものであって、前記取付孔周囲には、固定具頭部を前記ブラケット側板の外側面と面一となる凹部を形成するとともに、該ブラケット側板の内側面に突出する凸部を形成し、前記軸受の固定孔周囲には前記凸部に嵌合する凹部を形成することを特徴とする請求項２記載のシャッターケースの構造。
【請求項６】
前記ブラケット板の内側に取り付けられる軸受が、前記ブラケット板の外側よりこれに形成された複数の取付孔に各々貫通する固定具により取付けられるものであって、前記取付孔周囲には、固定具頭部を前記ブラケット板の外側面と面一となる凹部を形成するとともに、該ブラケット板の内側面に突出する凸部を形成し、前記軸受の固定孔周囲には前記凸部に嵌合する凹部を形成することを特徴とする請求項３記載のシャッターケースの構造。
【請求項７】
前記天板の前縁には、後縁方向に延出する鉤形係合部が形成され、前記前板の上縁には、前方に延出する鉤形係合部が形成されて、各鉤形係合部により互いにはぜ継ぎ式に結合する構造とされることを特徴とする請求項１又は４に記載のシャッターケースの構造。
【請求項８】
前記天板の前縁には、後縁方向に延出する鉤形係合部が形成され、前記前板の上縁には、前方に延出する鉤形係合部が形成されて、各鉤形係合部により互いにはぜ継ぎ式に結合する構造とされるとともに、各鉤形係合部の長手方向両端に所定長さの切欠部がそれぞれ形成されることを特徴とする請求項２，３，５，６のいずれか１つに記載のシャッターケースの構造。
【発明の詳細な説明】
【０００１】
【発明の属する技術分野】
本発明は、建物などの構築構造物の開口部を開閉するためのシャッターを巻回状態で収納するためのシャッターケースの構造に関する。
【０００２】
【従来の技術】
巻取式シャッターカーテンを巻回状態で収納するためのシャッターケースは、一般に図９に示すような組立構造となっている。このシャッターケースＡは、天板ａ、天板ａに係合する前板ｂ、天板ａ及び前板ｂの両側面に位置し、かつ建物壁面に固定される側板、すなわちブラケット板ｃより略構成される。ブラケット板ｃの周縁には、天板ａ，前板ｂの内側に嵌合する内側フランジｃ１が形成され、このフランジｃ１が、天板ａ及び前板ｂの両端縁内側に嵌合してこれら端縁を保持し、すなわち、シャッターケースＡは略方形箱状に形成される。なお、図９では短縮されて描かれているが、実際には天板ａ及び前板ｂは建物の窓部などの建物開口部の間口寸法に応じた長さとされる。
【０００３】
また、ブラケット板ｃの側面部には、一対のネジ取付孔ｃ２が内外を貫通して形成され、ブラケット板ｃの内側にシャッターカーテンの巻取軸（図示せず）の端部を支持するための軸受ブラケットｄを配置し、軸受ブラケットｄのネジ孔ｄ１をネジ孔ｃ１に位置させた状態で、ブラケット板ｃの外側からネジＢをネジ込むことにより、軸受ブラケットｄの固定を行っている。
【０００４】
しかし、この構造では図１０に示す目視線Ｌ１で示すように、側方から天板ａ，前板ｂの端面及び天板ａ，前板ｂとブラケット板ｃの嵌合部の継目が目視されてしまう。特にブラケット板ｃのフランジｃ１と端面との間には、ブラケット板ｃをプレス加工より構成すると、湾曲した屈曲部分が形成されてしまうため、見た目には継目が大きくあく。また、側面の端縁方向の目視線Ｌ２からはネジＢの頭部が突出して見えてしまい、これらにより見栄え上の不具合があった。
【０００５】
このような不具合をなくすために、ブラケット板ｃとは別にカバーを設ける構造が下記特許文献１に開示されている。このカバーは、基端部が建物開口の側縁に固設され、前記天板，前板の端縁を覆う軟質で可撓性を有するカバー部材であり、必要に応じてカバー部材を端縁から引き剥がすようにして脱離できるようにしたものである。したがって、この構造では、シャッターケースの端縁がカバー部材で覆われてしまうため、上述のような継目や、ネジ頭部が隠されることとなり、見栄えは良好となる。
【０００６】
【特許文献１】
特開平１０−１４０９４５号公報
【０００７】
【発明が解決しようとする課題】
しかしながら、上述した特許文献１による構造では、カバー部材が軟質樹脂またはゴムなどの成形体からなっている一方、特にこの種のシャッターケースでは軒下など雨風にさらされたり、紫外線などの影響を大きく受ける箇所に配置されるものであるため、長期的視点から見ると、経年劣化などにより見栄えが低下するおそれがある。
【０００８】
また、上述した図９に示す構造においては、天板ａの前面下部の内側に前板ｂの前面上縁が重なっているだけであり、この場合には、ネジなどを介して天板ａ，前板ｂ間を結合する必要があるが、前記シャッターケースＡの組立手順としては、ブラケット板ｃを開口部両側面に固定し、次いで天板ａをブラケットｃ板間に組み付け、次いで前板ｂを天板ａに組み付けるため、前板ｂの組付にはその間口寸法によって、一人が前板ｂを支える一方で他の一人がネジ結合作業を行わなければならず、少なくとも二人の作業員を要し、取り付け時の作業に手間がかかっていた。
さらに、保守点検時などにおいても、前板ｂの取外しなどに作業員を複数配して行わなければならず、メンテナンス性が低かった。
【０００９】
本発明は、以上の課題を解決するものであり、その目的は、天板及び前板と側板間の接合部位における側方視での見栄えを向上することにある。また、本発明の他の目的は、側板をブラケット板とした場合における固定具頭部の突出がなく、見栄えを向上することにある。さらに本発明の他の目的は、天板及び前板の取付け及び取外しを簡単に行えるようにして施工性を向上することにある。
【００１０】
【課題を解決するための手段】
次に、上記の課題を解決するための手段を、実施の形態に対応する図面を参照して説明する。
この発明の請求項１記載のシャッターケースの構造は、少なくとも天板１２と、前板１４及び左右の側板６０（１６，５０）を備えて略方形箱状に形成され、内部にシャッターカーテンを巻回収納可能とし、構築構造物開口の縁部に配設されるシャッターケースの構造において、
前記側板６０（１６，５０）の端縁に形成され板面に対して起立形成される接合代６２（２０，５４）と、前記天板１２及び前板１４の各左右端縁の接合縁とのいずれか一方に、段差を設けて係止部１２ａ，１４ａ（２４，５６）を形成し、該係止部１２ａ，１４ａ（２４，５６）を介して前記天板１２及び前板１４の接合縁が前記側板端縁の接合代６２（２０，５４）に面一状に接続されることを特徴とする。
【００１１】
請求項２記載のシャッターケースの構造は、少なくとも天板１２と、前板１４及び左右の側板を備えて略方形箱状に形成され、内部にシャッターカーテンを巻回収納可能とし、構築構造物開口の縁部に配設されるシャッターケースの構造において、
前記側板が、前記シャッターカーテンの巻取軸の端部を支持する軸受２６を内側に備えたブラケット側板１６よりなり、該ブラケット側板１６の端縁に形成され板面に対して起立形成される接合代２０に段差を設け、前記天板１２及び前板１４の各左右端縁の接合縁の内側面に接続される係止部２４を形成し、該係止部２４を介して前記天板１２及び前板１４の接合縁が前記ブラケット側板端縁の接合代２０に面一状に接続されることを特徴とする。
【００１２】
請求項３記載のシャッターケースの構造は、少なくとも天板１２と、前板１４及び左右の側板を備えて略方形箱状に形成され、内部にシャッターカーテンを巻回収納可能とし、構築構造物開口の縁部に配設されるシャッターケースの構造において、
前記側板が、前記シャッターカーテンの巻取軸の端部を支持する軸受２６を内側に備えたブラケット板５８の外側面を被覆する化粧用外装板５０よりなり、該化粧用外装板５０の端縁に形成され板面に対して起立形成される接合代５４に段差を設け、前記天板１２及び前板１４の各左右端縁の接合縁の内側面に接続される係止部５６を形成し、該係止部５６を介して前記天板１２及び前板１４の接合縁が前記化粧用外装板端縁の接合代５４に面一状に接続されることを特徴とする。
【００１３】
請求項４記載のシャッターケースの構造は、請求項１記載のシャッターケースの構造において、前記側板６０の内側に取り付けられ、前記シャッターカーテンの巻取軸の端部を支持する軸受２６が、側板６０の外側よりこれに形成された複数の取付孔２８に各々貫通する固定具Ｂにより取付けられるものであって、前記取付孔２８周囲には、固定具頭部を前記側板６０の外側面と面一となる凹部３０を形成するとともに、該側板６０の内側面に突出する凸部３１を形成し、前記軸受２６の固定孔３６周囲には前記凸部３１に嵌合する凹部３８を形成することを特徴とする。
【００１４】
請求項５記載のシャッターケースの構造は、請求項２記載のシャッターケースの構造において、前記ブラケット側板１６の内側に取り付けられる軸受２６が、前記ブラケット側板１６の外側よりこれに形成された複数の取付孔２８に各々貫通する固定具Ｂにより取付けられるものであって、前記取付孔２８周囲には、固定具頭部を前記ブラケット側板１６の外側面と面一となる凹部３０を形成するとともに、該ブラケット側板１６の内側面に突出する凸部３１を形成し、前記軸受２６の固定孔３６周囲には前記凸部３１に嵌合する凹部３８を形成することを特徴とする。
【００１５】
請求項６記載のシャッターケースの構造は、請求項３記載のシャッターケースの構造において、前記ブラケット板５８の内側に取り付けられる軸受２６が、前記ブラケット板５８の外側よりこれに形成された複数の取付孔２８に各々貫通する固定具Ｂにより取付けられるものであって、前記取付孔２８周囲には、固定具頭部を前記ブラケット板５８の外側面と面一となる凹部３０を形成するとともに、該ブラケット板５８の内側面に突出する凸部３１を形成し、前記軸受２６の固定孔３６周囲には前記凸部３１に嵌合する凹部３８を形成することを特徴とする。
【００１６】
請求項７記載のシャッターケースの構造は、請求項１又は４に記載のシャッターケースの構造において、前記天板１２の前縁には、後縁方向に延出する鉤形係合部４１が形成され、前記前板１４の上縁には、前方に延出する鉤形係合部４５が形成されて、各鉤形係合部４１，４５により互いにはぜ継ぎ式に結合する構造とされることを特徴とする。
【００１７】
請求項８記載のシャッターケースの構造は、請求項２，３，５，６のいずれか１つに記載のシャッターケースの構造において、前記天板１２の前縁には、後縁方向に延出する鉤形係合部４１が形成され、前記前板１４の上縁には、前方に延出する鉤形係合部４５が形成されて、各鉤形係合部４１，４５により互いにはぜ継ぎ式に結合する構造とされるとともに、各鉤形係合部４１，４５の長手方向両端に所定長さの切欠部４２ａ，４６ａがそれぞれ形成されることを特徴とする。
【００１８】
このような構成によれば、天板１２，前板１４と、側板１６，６０との接合部分において、係止部１２ａ，１４ａ，２４によって接合代２０，６２と接合縁との位置、すなわち継目が、側方視で目視されない位置となり、すなわち側方視で見えず、見栄えを向上することができる効果を得られる。
【００１９】
また、ブラケット板５８の外側を被覆する化粧用外装板５０においても、接合代５４に段差を設け係止部５６を形成することで、同様に見栄えの向上を得られるとともに、軸受固定用の固定具であるネジＢが隠されるため、さらに見栄えが向上する。
【００２０】
また、本発明によれば、側板６０或いはブラケット側板１６に、軸受２６を取り付けるための取付孔２８の周囲に凹部３０を設けたことで、固定具頭部が板面よりも突出することがなく、見栄えを向上できる。
【００２１】
さらに、この取付孔２８の凹部３０に対応する内側面の凸部３１と、軸受２６の固定孔３６周囲に形成される凹部３８とで、これら内側面と軸受２６との密着性を向上させるとともに、軸受取付時の位置決めが可能となり、その取付け作業性が向上することとなる。
【００２２】
また、取付孔２８周囲の凹部３０により、固定具頭部が突出しないことから、シャッターケース１０を横方向に連ねて設置する所謂連装構成とした際に、側板６０或いはブラケット側板１６を隣り合わせて密着させて設置でき、隣接するシャッターケース１０同士に不要な隙間を生じさせずに構成できる効果を得られる。
【００２３】
さらに本発明によれば、天板１２と前板１４とを鉤形係合部４１，４５よりなるはぜ継ぎ式に結合する構造としたことで、天板１２に対する前板１４の連結作業性を改善でき、すなわち、一人の作業員で長尺な前板１４の取付作業、取外し作業を行うことができ、省力化・省人化を図ることができ、施工性及びメンテナンス性を向上させることが可能となる。
【００２４】
またこのはぜ継ぎ式の結合部分である各鉤形係合部４１，４５の長手方向両端に形成された所定長さの切欠部４２ａ，４６ａによって、側板に干渉することなく、これら天板１２，前板１４を取り付けることが可能となる。
【００２５】
【発明の実施の形態】
以下、本発明の好ましい実施の形態につき、添付図面を参照して詳細に説明する。
図１ないし図６は、本発明の第一の実施の形態を示すもので、本実施の形態では側板としてブラケット側板１６を用いた事例を示している。
【００２６】
図１〜図４において、シャッターケース１０は、鋼板などのプレス成形体からなる天板１２，前板１４と、これら天板１２，前板１４の側面に組み付けられる同じく鋼板などのプレス成形体からなる側板を構成するブラケット側板１６とから大略構成されている。
【００２７】
ブラケット側板１６は、前記天板１２，前板１４の組合わせ断面形状に沿った多角形状であって、背面側が略垂直に形成された側面部１８と、側面部１８の外周端縁にあってその内側に向けて板面に対して起立し折曲加工された接合代としてのフランジ部２０とからなっており、フランジ部２０の前縁には前記天板１２，前板１４の前縁に設けた後述する鉤形係合部４２，４６の突出形状に応じた突出部２０ａが設けられている。
【００２８】
フランジ部２０の背面側は、本実施の形態では、図３，４に示すように、構築構造物としての建物の壁面に設けられる図示しない取付金具に固定される係止片２２となっており、この係止片２２には壁面に固設される図示しない壁面固定金具に対する引掛係止用の適宜な凹凸片２２ａが形成されている。なお、このフランジ部２０の背面側は、上記のような凹凸片２２ａを備えた係止片２２の構成に限定されることはなく、建物の壁面に対して固設される構造であれば、その他の構成としても良い。
【００２９】
フランジ部２０の前部側各面と底部の一部には、例えば絞り加工により段差を設けてそれぞれの面に係止部２４を一体に形成し、この係止部２４が天板１２，前板１４との接合縁内側に嵌合することで、組立状態においてフランジ部２０と天板１２，前板１４の接合縁を同一面となるようにしている。
なお、図では係止部２４とフランジ部との段差を誇張して描いているが、実際の段差は、前記天板１２，前板１４の板厚に相当して実寸で０．５ｍｍ程度となっている。
【００３０】
ブラケット側板１６の側面部１８の表面には、図１，図２に示すように、巻取軸の軸受２６を固定するための一対の取付孔２８が内外を貫通して開口されているとともに、取付孔２８の周囲には、例えば絞り加工により凹部３０が形成されており、すなわち、皿孔状に形成されて、この取付孔２８を通じて固定具としてのネジＢを螺着した状態では、図５に示すごとく、ネジ頭部が側面部１８の平面内に収り、平面内での目視線Ｌａからは見えることがなく、見栄えが向上する。
【００３１】
軸受２６は、図３及び図４に示すように、断面コ字形をなし、支持ボルトＢ１を挿通する長孔３２ａを両側に形成した軸受本体３２と、軸受本体３２の左右及び下部に延出形成された取付片３４とからなっており、このうち左右の取付片３４には前記ネジＢが螺着される固定孔としてのネジ孔３６が形成され、さらにこのネジ孔３６の周囲には前記凹部３０の側面部１８の内側に対する凸部３１に応じた凹部３８が例えば絞り加工にて皿孔状に形成され、側面部１８の内壁面に対する左右フランジ３４の密着性を確保している。
【００３２】
なお、この凹部３８は、軸受２６の取り付け時に側面部１８の凸部３１に係合することにより、位置決めとなることから、軸受２６の取付け作業性も向上する。
【００３３】
天板１２の頂部背面には壁面取付用のフランジ４０が一体に立上げ形成されており、天板１２の前縁には内側に向けた鉤形係合部４１が一体に形成されている。この鉤形係合部４１は、断面略コ字形に形成されて、先端縁の鉤状片４２が上向きに形成され、またこの鉤状片４２の両側部、すなわちブラケット側板１６との接合位置のみ図３（ｂ）に示すように切欠形成され切欠部４２ａとなっている。
【００３４】
前板１４の底部背面には、シャッターカーテン昇降用の開口の縁部となる断面略コ字形の縁取り片４４が立ち上げ形成されている。また、前板１４の前縁上部には天板１２の鉤形係合部４１に、はぜ継ぎ式に嵌合する鉤形係合部４５が外側に向けて一体に形成されている。この鉤形係合部４５は、断面略コ字形に形成されて、先端縁の鉤状片４６が下向きに形成され、またこの鉤状片４６の両端部、すなわちブラケット側板１６との接合位置のみ切欠形成され切欠部４６ａとなっている。
なお、各鉤状片４２，４６は、天板１２，前板１４の長手方向略全域に沿って連続形成され、天板１２に対する前板１４の脱着を容易にしている。
【００３５】
以上における組立順序は、先ず、建物開口部の上縁両側にブラケット側板１６を固定する。次いで図４（ａ）に示すように、天板１２をブラケット側板１６上に載置する。この状態で天板１２の長手方向両端はフランジ部２０の内側にの各面に形成された係止部２４に重ね合される。その後、適宜位置をネジなどで天板１２を係止部２４に固定する。
【００３６】
次いで前板１４の鉤状片４６を天板１２の鉤状片４２に下方より引っ掛ける。そして、これら鉤状片４２，４６の部分を基点として前板１４の底部を持上げ、適宜位置をネジなどで固定することで、図４（ｂ）に示すように、シャッターケース１０の組立を完了する。
【００３７】
この場合、鉤形係合部４１，４５（鉤状片４２，４６）同士の係合により、長尺な前板１４を複数の作業員で支えることで行われていた従来のような作業を行わなくとも、前板１４は片手で持ち上げるだけで正しい取り付け位置となるため、一人の作業員の作業により組み付けを行えることになり、前板１４の長手方向両端も各面に形成された係止部２４の外側に正しく重ねあわされる。
【００３８】
特に、はぜ継ぎ式の結合部分である各鉤形係合部４１，４５の長手方向両端に形成された所定長さの切欠部４２ａ，４６ａによって、ブラケット側板１６に干渉することなく、これら天板１２，前板１４を取り付けることが可能となる。
【００３９】
そして、組立完了状態では、天板１２，前板１４とブラケット側板１６のフランジ部２０とは同一面となる。なおこの接合部における継目部分は当然ながら正面視では目視されることになるが、図６に示すように、側方からの目視線Ｌｂによる継目がなく、意匠性が向上することとなる。
【００４０】
また、保守点検などの際に、シャッターケース１０内への作業を行う場合であっても、前板１４を固定するネジを取り外せば、容易にシャッターケース１０内部を開放させることができ、メンテナンス性が向上することとなる。
【００４１】
なお、シャッターケース１０における天板１２，前板１４及びブラケット側板１６は、防錆塗装などの耐食性或いは耐候性のある堅牢な表面仕上げにより保護されることで、意匠性等を得ることができる。
【００４２】
また、ブラケット側板１６の取付孔２８の周囲の凹部３０により、ネジ頭部が突出しないことから、シャッターケース１０を横方向に連ねて設置する所謂連装構成とした際に、ブラケット側板１６を密着させて設置でき、隣接するシャッターケース１０同士に不要な隙間を生じさせずに構成できることとなる。
【００４３】
次に第二の実施の形態について説明する。
図７は化粧用外装板５０を設けた第二の実施の形態を示すものである。なお、前述した第一の実施の形態と同一箇所には同一符号を付してその説明を省略する。
なお、この第二の実施の形態では、上記第一の実施の形態における軸受２６が取り付けられるブラケット側板１６に換え、係止部２４のみを備えない略同構成のブラケット板５８を用い、このブラケット板５８の側面部内側に軸受２６が取り付けられる。
【００４４】
図において、化粧用外装板５０は、ブラケット板５８の外側全体を包囲する側面部５２と、これの外側部にあって内側に向けて板面に対し起立形成された接合代としてのフランジ部５４を備え、フランジ部５４の上下面をネジＢ３によってブラケット板５８に連結している。
【００４５】
フランジ部５４には、段差を設けて前記天板１２，前板１４の接合縁内側に嵌合する係止部５６が形成され、これによって天板１２，前板１４と化粧用外装板５０のフランジ部５４との接合部位を略面一状態としている。
【００４６】
本実施形態でも前記と同一の効果を得られるほか、軸受２６の固定用のネジ頭部が全く隠されてしまうため、さらに見栄えが向上する。
【００４７】
なお、以上の化粧用外装板５０は鋼板のプレス加工品でもよいし、耐久性のある合成樹脂成形体であってもよい。
【００４８】
次に第三の実施の形態について説明する。
図８は、第三の実施の形態を示すもので、前述した第二の実施の形態のブラケット板５８と同等の構成の側板６０を備えた構成とされている。すなわち、軸受（図示せず）が側面部６１の内側に取り付けられ、端縁には板面に起立して接合代としてのフランジ部６２が形成される。このフランジ部６２はフラットに形成されている。
【００４９】
天板１２，前板１４の各接合縁には、絞り加工などによって、段差を設けて係止部１２ａ，１４ａが形成される。これら係止部１２ａ，１４ａをフランジ部６２の内側に嵌合し、これによって天板１２，前板１４と、側板６０のフランジ部６２の接合部分を略面一状としている。
このような構成によっても前記第一、第二の実施の形態と同様な効果を得ることができる。
なお、接合する相手側は側板６０でなく、上記した化粧用外装板５０であってもよいことは勿論である。この化粧用外装板５０の場合にも、係止部５６を備えない構成でよく、フランジ部５４の内側に嵌合する構成とされる。
【００５０】
なお、上述した各実施の形態において、ネジを固定具とした例について述べたが、この固定具としては、ボルトやリベットなどで構成してもよく、すなわち、頭部を備えた形状の固定具であれば、上記同様の効果を得ることができる。
【００５１】
【発明の効果】
以上の説明したように、本発明のシャッターケースの構造によれば、天板，前板と、側板との接合部分において、係止部によって接合代と接合縁との位置が側方視で目視されない位置となり、すなわち側方視で見えず、見栄えを向上することができる効果を得られる。
【００５２】
また、本発明によれば、側板或いはブラケット側板に、軸受を取り付けるための取付孔の周囲に凹部を設けたことで、固定具頭部が板面よりも突出することがなく、見栄えを向上できる。
【００５３】
さらに、この取付孔の凹部に対応する内側面の凸部と、軸受の固定孔周囲に形成される凹部とで、これら内側面と軸受との密着性を向上させるとともに、軸受取付時の位置決めが可能となり、その取付け作業性が向上することとなる。
【００５４】
また、取付孔周囲の凹部により、固定具頭部が突出しないことから、シャッターケースを横方向に連ねて設置する所謂連装構成とした際に、側板或いはブラケット側板を密着させて設置でき、隣接するシャッターケース同士に不要な隙間を生じさせずに構成できる効果を得られる。
【００５５】
さらに本発明によれば、天板と前板とを鉤形係合部よりなるはぜ継ぎ式に結合する構造としたことで、天板に対する前板の連結作業性を改善でき、すなわち、一人の作業員で長尺な前板の取付作業、取外し作業を行うことができ、省力化・省人化を図ることができ、施工性及びメンテナンス性を向上させることが可能となる。
【００５６】
またこのはぜ継ぎ式の結合部分である各鉤形係合部の長手方向両端に形成された所定長さの切欠部によって、側板に干渉することなく、これら天板，前板を取り付けることが可能となる。
【図面の簡単な説明】
【図１】本発明の第一の実施の形態によるブラケット側板と軸受との取り付け関係を示す分解斜視図である。
【図２】同ブラケット側板の斜視図である。
【図３】（ａ）は同ブラケット側板と天板，前板との結合関係を示す分解斜視図、（ｂ）は天板の一部拡大斜視図である。
【図４】（ａ），（ｂ）は天板，前板をブラケット側板に組み付ける手順を示す斜視図である。
【図５】図２のＡ−Ａ線における断面図である。
【図６】図４（ｂ）のＢ−Ｂ線における断面図である。
【図７】本発明の第二の実施の形態を示す化粧用外装板を配置した断面図である。
【図８】本発明の第三の実施の形態を示す部分断面図である。
【図９】従来のシャッターケースの斜視図である。
【図１０】同シャッターケースの断面図である。
【符号の説明】
１０…シャッターケース
１２…天板
１２ａ，１４ａ，２４，５６…係止部
１４…前板
１６…側板（ブラケット側板）
１８，５２…側面部
２０，５４，６２…接合代（フランジ部）
２６…軸受
２８…取付孔
３０…凹部
３１…凸部
３６…固定孔（ネジ孔）
３８…凹部
４１，４５…鉤形係合部
４２ａ，４６ａ…切欠部
５０…側板（化粧用外装板）
６０…側板
【図１】
2004316159.tif 000003
【図２】
2004316159.tif 000004
【図３】
2004316159.tif 000005
【図４】
2004316159.tif 000006
【図５】
2004316159.tif 000007
【図６】
2004316159.tif 000008
【図７】
2004316159.tif 000009
【図８】
2004316159.tif 000010
【図９】
2004316159.tif 000011
【図１０】
2004316159.tif 000012